(57)【要約】【課題】デッドスペースを有効に利用しつつ車両衝突時の衝撃からハーネスを保護することができるだけでなく、制御装置の被水を防止できる電力機器ユニット及び車両を提供する。【解決手段】モータジェネレータ３ｂへ電力を供給するバッテリ５０と、バッテリ５０を制御するＥＣＵ７０と、バッテリ５０とＥＣＵ７０とを接続する制御系ハーネス１００と、を備える電力機器ユニット２０であって、バッテリ５０とＥＣＵ７０とは、空間部Ｓを挟んで前後方向に隣り合うように配置され、制御系ハーネス１００は、空間部Ｓを鉛直方向に延びる第１ハーネス部１０１と、ＥＣＵ７０に下方から接続されるＥＣＵ接続部１０５と、を備える。【選択図】図４
2018043584.tif 000002
【特許請求の範囲】
【請求項１】
モータへ電力を供給する電力機器と、
該電力機器を制御する制御装置と、
前記電力機器と前記制御装置とを接続するハーネスと、を備える電力機器ユニットであって、
前記電力機器と前記制御装置とは、空間部を挟んで前後方向に隣り合うように配置され、
前記ハーネスは、前記空間部を鉛直方向に延びる第１ハーネス部と、前記制御装置に下方から接続される制御装置接続部と、を備える、電力機器ユニット。
【請求項２】
請求項１に記載の電力機器ユニットであって、
前記ハーネスは、前記電力機器の上方を前後方向に延びる第２ハーネス部と、前記電力機器の前記制御装置とは反対側を鉛直方向に延びる第３ハーネス部と、前記電力機器に下方から接続される電力機器接続部と、を備える、電力機器ユニット。
【請求項３】
請求項１又は２に記載の電力機器ユニットであって、
前記電力機器ユニットは、前記電力機器の電力を変換する電力変換器を備え、
前記電力変換器は、前後方向及び鉛直方向と直交する方向に隣り合うように配置され、
前記第２ハーネス部は、前記電力機器と前記電力変換器との境界部近傍に配置されている、電力機器ユニット。
【請求項４】
請求項１〜３のいずれか１項に記載の電力機器ユニットを搭載した車両であって、
前記電力機器ユニットは、フロアパネルに形成された凹状の電力機器ユニット収納部に収容され、
前記電力機器ユニット収納部は、座席の下方に設けられている、車両。
【発明の詳細な説明】
【技術分野】
【０００１】
本発明は、電力機器、制御装置及びハーネスを備える電力機器ユニット及び車両に関する。
【背景技術】
【０００２】
エンジンとモータを併用して走行するハイブリッド車両、モータのみを用いて走行する電気車両等の車両には、バッテリ（電力機器）、インバータ（電力変換器）、ＥＣＵ（制御装置）などの高圧系機器を収容する電力機器ユニットが搭載されている（例えば、特許文献１）。
【先行技術文献】
【特許文献】
【０００３】
【特許文献１】特開２０１０−２８５０７０号公報
【発明の概要】
【発明が解決しようとする課題】
【０００４】
電力機器ユニットは、一般的に車両衝突時の衝撃に対する安全性の高い場所に配置されるものの、高圧系機器同士を接続する高圧配線（ハーネス）が損傷しないように確実に保護する必要がある。特に、ヒューズが介在しない高圧配線（例えば、バッテリとＥＣＵとを接続するバッテリ電圧検出用配線等）は、厳格な保護が求められている。
【０００５】
本発明は上述の点に鑑みてなされたものであり、その目的は、デッドスペースを有効に利用しつつ車両衝突時の衝撃からハーネスを保護することができるだけでなく、制御装置の被水を防止できる電力機器ユニット及び車両を提供することにある。
【課題を解決するための手段】
【０００６】
上記の目的を達成するために、請求項１に記載の発明は、
モータ（例えば、後述の実施形態のモータジェネレータ３ｂ）へ電力を供給する電力機器（例えば、後述の実施形態のバッテリ５０）と、
該電力機器を制御する制御装置（例えば、後述の実施形態のＥＣＵ７０）と、
前記電力機器と前記制御装置とを接続するハーネス（例えば、後述の実施形態の制御系ハーネス１００）と、を備える電力機器ユニット（例えば、後述の実施形態の電力機器ユニット２０）であって、
前記電力機器と前記制御装置とは、空間部（例えば、後述の実施形態の空間部Ｓ）を挟んで前後方向に隣り合うように配置され、
前記ハーネスは、前記空間部を鉛直方向に延びる第１ハーネス部（例えば、後述の実施形態の第１ハーネス部１０１）と、前記制御装置に下方から接続される制御装置接続部（例えば、後述の実施形態のＥＣＵ接続部１０５）と、を備える。
なお、「前後方向」とは、車両の前後方向と一致する必要はなく、車両の左右方向等であってもよい。
【０００７】
請求項２に記載の発明は、
請求項１に記載の電力機器ユニットであって、
前記ハーネスは、前記電力機器の上方を前後方向に延びる第２ハーネス部（例えば、後述の実施形態の第２ハーネス部１０２）と、前記電力機器の前記制御装置とは反対側を鉛直方向に延びる第３ハーネス部（例えば、後述の実施形態の第３ハーネス部１０３）と、前記電力機器に下方から接続される電力機器接続部（例えば、後述の実施形態のバッテリ接続部１０６）と、を備える。
【０００８】
請求項３に記載の発明は、
請求項１又は２に記載の電力機器ユニットであって、
前記電力機器ユニットは、前記電力機器の電力を変換する電力変換器（例えば、後述の実施形態のインバータ６０）を備え、
前記電力変換器は、前後方向及び鉛直方向と直交する方向に隣り合うように配置され、
前記第２ハーネス部は、前記電力機器と前記電力変換器との境界部近傍に配置されている。
【０００９】
請求項４に記載の発明は、
請求項１〜３のいずれか１項に記載の電力機器ユニットを搭載した車両（例えば、後述の実施形態の車両１）であって、
前記電力機器ユニットは、フロアパネル（例えば、後述の実施形態のフロアパネル４）に形成された凹状の電力機器ユニット収納部（例えば、後述の実施形態の電力機器ユニット収納部４ａ）に収容され、
前記電力機器ユニット収納部は、座席（例えば、後述の実施形態のフロントシート５）の下方に設けられている。
【発明の効果】
【００１０】
請求項１に記載の発明によれば、電力機器と制御装置とを接続するハーネスの第１ハーネス部は、一般的に車両衝突時の衝撃に対する安全性が高い場所である、電力機器と制御装置との間の空間部を鉛直方向に延びるので、デッドスペースを有効に利用しつつ車両衝突時の衝撃からハーネスを保護することができる。さらに、ハーネスは、制御装置に下方から接続される制御装置接続部を備えるので、結露等の水がハーネスを伝わって制御装置に入り込むことを防止できる。
【００１１】
請求項２に記載の発明によれば、ハーネスは、電力機器の上方を前後方向又は左右方向に延びる第２ハーネス部と、電力機器の制御装置とは反対側を鉛直方向に延びる第３ハーネス部と、電力機器に下方から接続される電力機器接続部と、を備えるので、結露等の水がハーネスを伝わって電力機器に入り込むことを防止できる。
【００１２】
請求項３に記載の発明によれば、ハーネスの第２ハーネス部は、電力機器と電力変換器との境界部近傍に配置されているので、電力機器ユニット内のスペースを有効利用したハーネスの配置が可能になる。
【００１３】
請求項４に記載の発明によれば、電力機器ユニットは、フロアパネルに形成された凹状の電力機器ユニット収納部に収容され、電力機器ユニット収納部は、座席の下方に設けられているので、車両衝突時の衝撃に対する安全性の高い場所に電力機器ユニットを配置し、電力機器、制御装置及びハーネスを車両衝突時の衝撃から保護することができる。
【図面の簡単な説明】
【００１４】
【図１】本発明の一実施形態にかかる電力機器ユニットを備えた車両を示す概略側面図である。
【図２】電力機器ユニットの配置を示す車両の要部概略断面図である。
【図３】電力機器ユニットの断面斜視図である。
【図４】電力機器ユニットの要部斜視図である。
【図５】電力機器ユニットの制御系ハーネスを示す斜視図である。
【図６】電力機器ユニットのハーネスホルダ及びインバータ（カバーあり）を示す要部斜視図である。
【図７】電力機器ユニットのハーネスホルダ及びインバータ（カバーなし）を示す要部平面図である。
【図８】ハーネスホルダの位置決め部を示す斜視図である。
【図９】インバータの取り外し手順を示す説明図であり、（ａ）はハーネスホルダの位置決め部を回転させる前の状態を示す説明図、（ｂ）はハーネスホルダの位置決め部を回転させた状態を示す説明図である。
【図１０】図７のＡ−Ａ線断面図である。
【発明を実施するための形態】
【００１５】
以下、添付図面を参照して本発明の一実施形態を詳細に説明する。なお、図面は符号の向きに見るものとし、以下の説明において、前後、左右、上下は、運転者から見た方向に従い、図面に車両の前方をＦｒ、後方をＲｒ、左側をＬ、右側をＲ、上方をＵ、下方をＤ、として示す。
【００１６】
図１に示すように、車両１には、車両前部のエンジンルーム２に、エンジン３ａ及びモータジェネレータ３ｂが直列に設置されたパワーユニット３が搭載されている。モータジェネレータ３ｂは、例えば三相交流モータである。車両１は、エンジン３ａ及び／又はモータジェネレータ３ｂにより駆動され、車両減速時などには、モータジェネレータ３ｂからの電力を回収可能なハイブリッド車両である。
【００１７】
車両１では、エンジン３ａ及びモータジェネレータ３ｂの駆動力が駆動輪である前輪１６に伝達される。また、車両１の減速時などに前輪１６からモータジェネレータ３ｂに駆動力が伝達されると、モータジェネレータ３ｂが発電機として機能していわゆる回生制動力を発生し、車両１の運動エネルギが電気エネルギとして回収される。回収された電気エネルギは、後述するインバータ６０を介してバッテリ５０に充電される。
【００１８】
エンジンルーム２の後方には、フロアパネル４上に、フロントシート５とミドルシート６とリアシート７とが配置された車室８が設けられている。車室８は、前方衝突時にクラッシャブルゾーンとなるエンジンルーム２の後方に設けられることにより、前方衝突時の衝撃に対して安全性の高い場所となっている。
【００１９】
図１及び図２に示すように、車室８内のフロントシート５（運転席シート及び助手席シート）の下側には、不図示の電力ケーブルを介してパワーユニット３と接続される電力機器ユニット２０が配置されている。電力機器ユニット２０は、フロアパネル４に形成された凹状の電力機器ユニット収納部４ａに収容され、該電力機器ユニット収納部４ａに収容された電力機器ユニット２０の上方には、フロントシート５の位置を前後方向に調節するためのシートレール５ａが電力機器ユニット２０を前後方向に跨ぐように所定の隙間を介して配置される。
【００２０】
図２〜図５に示すように、電力機器ユニット２０は、主として、バッテリ５０と、インバータ６０と、ＤＣ−ＤＣコンバータ６４と、ＥＣＵ７０と、ジャンクションボックス８０と、これらを電気的に接続する配線９０と、これらを収容するケース３０と、を含むユニットであり、車室８から取り込んだ空気でバッテリ５０、インバータ６０及びＤＣ−ＤＣコンバータ６４を冷却し、冷却後の空気を車室８に戻す空冷式の冷却機能を備える。
【００２１】
電力機器ユニット２０のケース３０は、有底容器状のケース本体３１と、ケース本体３１の上部を覆う蓋部材３２と、を備え、ケース３０の内部には、図３及び図４に示すように、バッテリ５０とインバータ６０とが左右方向に隣り合うように配置されるとともに、ＥＣＵ７０がバッテリ５０の前方に空間部Ｓを挟んで隣り合うように配置され、さらに、ジャンクションボックス８０がバッテリ５０の前方でＥＣＵ７０と左右方向に隣り合うように配置されている。空間部Ｓには、一部にバッテリ５０のメンテナンスを行う際に、バッテリ５０の回路を遮断して安全に作業を行うためのスイッチである保守点検用プラグ２１が設けられている。なお、本実施形態のバッテリ５０は、左右方向に並列する４つのバッテリモジュール５１で構成されているが、バッテリ５０を構成するバッテリモジュール５１の個数や配列は任意に変更することができる。
【００２２】
インバータ６０は、バッテリ５０の電力を変換する電力変換器であり、バッテリ５０から得た直流電流を三相交流電流に変換し、この三相交流電流をモータジェネレータ３ｂに供給することで、モータジェネレータ３ｂの駆動を可能にするとともに、モータジェネレータ３ｂから得た三相交流の回生電流を直流電流に変換することで、バッテリ５０への充電を可能にしている。また、インバータ６０の下方には、バッテリ５０から得た高圧の直流電流を低圧の直流電流に変換し、この低圧の直流電流を低圧バッテリ（図示せず）等に供給するＤＣ−ＤＣコンバータ６４が配置されている。なお、図３では、ＤＣ−ＤＣコンバータ６４を省略している。
【００２３】
ＥＣＵ７０は、制御装置であり、バッテリ５０の充放電制御などを行う。バッテリ５０、インバータ６０、ＥＣＵ７０及びジャンクションボックス８０は、高圧電流を扱う高圧系機器であり、電力機器ユニット２０が車両衝突時の衝撃を受けた場合であっても、その衝撃に耐え得るように強度や配置が設定されている。なお、ジャンクションボックス８０は、配線の結合、分岐、中継などに用いる端子や、ヒューズなどの安全装置が設けられるユニットである。
【００２４】
図５及び図７に示すように、配線９０には、インバータ６０とモータジェネレータ３ｂとを繋ぐ三相線９１と、ＤＣ−ＤＣコンバータ６４において変換された低圧の直流電流をＥＣＵ７０やジャンクションボックス８０に供給する低圧線９２と、バッテリ５０とＥＣＵ７０とを繋ぐバッテリ電圧検出線９３と、インバータ６０とＥＣＵ７０とを繋ぐＰＣＵ制御線９４と、バッテリ５０とインバータ６０とを繋ぐ高圧線９５と、が含まれる。バッテリ電圧検出線９３は、ヒューズが介在しない高圧配線であり、厳格な保護が求められる。
【００２５】
図５に示すように、バッテリ電圧検出線９３及びＰＣＵ制御線９４は、制御系ハーネス１００としてアッセンブリ化されている。制御系ハーネス１００は、バッテリ５０の前方を鉛直方向に延びる第１ハーネス部１０１と、バッテリ５０の上方を前後方向に延びる第２ハーネス部１０２と、バッテリ５０の後方を鉛直方向に延びる第３ハーネス部１０３と、ＥＣＵ７０及びジャンクションボックス８０の下方を左右方向に延びる第４ハーネス部１０４と、を備える。
【００２６】
また、制御系ハーネス１００は、第１ハーネス部１０１の下端側に設けられ、ＥＣＵ７０に下方から接続されるＥＣＵ接続部１０５と、第３ハーネス部１０３の下端側に設けられ、バッテリ５０に下側から接続されるバッテリ接続部１０６と、第２ハーネス部１０２の中間部に設けられ、インバータ６０に接続されるＰＣＵ接続部１０７と、第４ハーネス部１０４の一端側に設けられ、低圧線９２に接続される低圧線接続部１０８と、第４ハーネス部１０４の他端側に設けられ、ジャンクションボックス８０に接続されるＪ／Ｂ接続部１０９と、を備える。そして、ＥＣＵ接続部１０５及びバッテリ接続部１０６によれば、ＥＣＵ７０及びバッテリ５０に下方から接続されるので、結露等の水が制御系ハーネス１００を伝わってＥＣＵ７０やバッテリ５０に入り込むことが防止される。
【００２７】
つまり、バッテリ電圧検出線９３は、一端側がバッテリ接続部１０６を介してバッテリ５０に下側から接続されるとともに、他端側が第３ハーネス部１０３、第２ハーネス部１０２及び第１ハーネス部１０１を通ってＥＣＵ７０の下側に至り、ＥＣＵ接続部１０５を介してＥＣＵ７０に下側から接続される。
【００２８】
また、ＰＣＵ制御線９４は、一端側がＰＣＵ接続部１０７を介してインバータ６０に接続されるとともに、他端側が第２ハーネス部１０２及び第１ハーネス部１０１を通ってＥＣＵ７０の下側に至り、ＥＣＵ接続部１０５を介してＥＣＵ７０に下側から接続される。
【００２９】
また、低圧線９２は、一端側がＤＣ−ＤＣコンバータ６４に接続されるとともに、他端側が低圧線接続部１０８に接続され、低圧線接続部１０８に接続された第４ハーネス部１０４がＥＣＵ７０及びジャンクションボックス８０の下側に至り、ＥＣＵ接続部１０５及びＪ／Ｂ接続部１０９を介してＥＣＵ７０及びジャンクションボックス８０に下側から接続される。
【００３０】
ヒューズが介在しないバッテリ電圧検出線９３が通る第１ハーネス部１０１、第２ハーネス部１０２及び第３ハーネス部１０３は、車両衝突時の衝撃から保護する必要があり、特に、バッテリ５０の前方を鉛直方向に延びるように配置され、前方衝突時に影響を受け易い第１ハーネス部１０１は、厳格に保護することが要求される。
【００３１】
本実施形態の第１ハーネス部１０１は、バッテリ５０とＥＣＵ７０との間に形成される空間部Ｓを鉛直方向に延びるように配置されている。このようにすると、車両衝突時の衝撃に対して安全性が高い場所に設けられるバッテリ５０とＥＣＵ７０との間の空間部Ｓを利用して第１ハーネス部１０１を配置することにより、車両衝突時の衝撃から第１ハーネス部１０１を確実に保護することができる。
【００３２】
本実施形態の第２ハーネス部１０２は、バッテリ５０とインバータ６０との境界部近傍に配置されている。このようにすると、バッテリ５０とインバータ６０との境界部に存在する空間を利用できる。なお、第２ハーネス部１０２は、バッテリ５０を覆うバッテリカバー若しくはバッテリ５０の上方に配置される吸気ダクト等のダクト部材上に配置される。本実施形態では、第２ハーネス部１０２は、バッテリ５０に冷却風を供給する吸気ダクト５２上に配置され、吸気ダクト５２には、図３、図４及び図６に示すように、第２ハーネス部１０２に隣接する位置に複数のリブが立設されることで構成された高剛性部５３が設けられている。
【００３３】
しかしながら、本実施形態の車両１では、図２に示すように、バッテリ５０とインバータ６０との境界部がシートレール５ａの下方に位置するので、車両衝突時にシートレール５ａが電力機器ユニット２０内に入り込むと、第２ハーネス部１０２が損傷する虞がある。
【００３４】
本実施形態の電力機器ユニット２０は、シートレール５ａが入り込んでも、第２ハーネス部１０２を保護可能なハーネスホルダ１２０を備える。以下、本実施形態のハーネスホルダ１２０について、図６〜図１０を参照して説明する。
【００３５】
ハーネスホルダ１２０は、上部が開放されたホルダ本体１３０と、該ホルダ本体１３０の上部を覆うホルダカバー１４０と、を備える。ホルダ本体１３０は、底部１３１と、その幅方向両端部から立ち上がる一対の側壁部１３２とを一体に有し、底部１３１及び一対の側壁部１３２で囲まれる空間に第２ハーネス部１０２が収容される。一方の側壁部１３２の長さ方向中間部には、ＰＣＵ制御線９４を引き出すための引出口１３３が形成され、ここから引き出されたＰＣＵ制御線９４がＰＣＵ接続部１０７を介してインバータ６０に接続される。
【００３６】
さらに、ホルダ本体１３０には、底部１３１から上部に向かって延びるブロック形状の補強部１３４が一体に設けられている。補強部１３４の幅寸法は、第２ハーネス部１０２の収容を阻害しない範囲で可及的に広く設定され、補強部１３４の高さ寸法は、側壁部１３２と同等もしくは側壁部１３２よりも高く設定されている。本実施形態のホルダ本体１３０には、長さ方向に所定の間隔をあけて２つの補強部１３４が設けられているが、補強部１３４の個数は任意に変更することができる。
【００３７】
本実施形態のホルダカバー１４０は、ホルダ本体１３０と別部材で形成され、ホルダ本体１３０の上部を覆うようにホルダ本体１３０に取り付けられる。ホルダカバー１４０の幅方向両端部には、長さ方向に所定の間隔をあけて並ぶ複数の係合爪１４１が一体に設けられ、これらの係合爪１４１がホルダ本体１３０側に形成される係合孔１３５に係合することで、ホルダカバー１４０がホルダ本体１３０に固定される。
【００３８】
さらに、ホルダカバー１４０には、ホルダ本体１３０の補強部１３４が貫通する複数の開口部１４２が形成されている。このようなハーネスホルダ１２０によれば、複数の補強部１３４によって、車両衝突時に上方から作用する衝撃を受け止めつつ、受け止めた衝撃を強度部品であるバッテリ５０の保持部材等に伝搬するロードパス経路が構成されるので、たとえ車両衝突時にシートレール５ａが上方から電力機器ユニット２０内に入り込んでも、ハーネスホルダ１２０に収容される第２ハーネス部１０２を保護し、第２ハーネス部１０２の損傷を防止できる。
【００３９】
ところで、ホルダ本体１３０の引出口１３３から引き出されたＰＣＵ制御線９４は、インバータ６０を支持するＰＣＵケース６１と、インバータ６０の上方を覆うＰＣＵカバー６２との間を通ってインバータ６０に接続される。ＰＣＵカバー６２には、図６に示すように、ＰＣＵ制御線９４を通すための凹部６２ａが形成され、ＰＣＵカバー６２とＰＣＵケース６１との間の隙間は、図８に示すように、インバータ６０からの音漏れを防止するための防音シール材６３を用いて塞がれる。したがって、ＰＣＵカバー６２によるＰＣＵ制御線９４の挟み込みや、ＰＣＵ制御線９４の位置ズレによる防音シール不良を防止するために、ＰＣＵ制御線９４の引出位置は正確な位置決めが要求される。
【００４０】
ホルダカバー１４０は、ハーネスホルダ１２０から外側へ延びてＰＣＵ制御線９４を位置決めする位置決め部１４３を備える。位置決め部１４３は、図７に示す平面視でＰＣＵケース６１とオーバラップする位置まで延在してＰＣＵ制御線９４を位置決めするとともに、ＰＣＵ制御線９４と一緒にＰＣＵカバー６２とＰＣＵケース６１との間に挟まれることにより、ＰＣＵカバー６２によるＰＣＵ制御線９４の挟み込みや、ＰＣＵ制御線９４の位置ズレによる防音シール不良を防止する確実に防止することが可能であるが、平面視でＰＣＵケース６１とオーバラップするため、図９（ａ）に示すように、インバータ６０の取り外しを阻害する虞がある。
【００４１】
図９（ｂ）に示すように、位置決め部１４３は、ホルダカバー１４０に対し回転可能であり、この回転により位置決め部１４３をＰＣＵケース６１の上方から退避させることで、ハーネスホルダ１２０全体を取り外さなくても、インバータ６０を取り外すことが可能になる。具体的に説明すると、本実施形態の位置決め部１４３は、折曲可能な折曲部１４４を介してホルダカバー１４０に連結され、折曲部１４４を支点とする回転により、ＰＣＵ制御線９４を位置決めする位置決め姿勢と、位置決め姿勢から上方へ跳ね上げられた跳ね上げ姿勢と、に姿勢が切り替えられる。なお、位置決め部１４３には、ホルダ本体１３０側の係合爪１３６に係合する係合片１４５が設けられ、該係合片１４５を係合解除操作すると、位置決め部１４３の位置決め姿勢から跳ね上げ姿勢への姿勢切り替えが許容される。
【００４２】
以上説明したように、本実施形態の電力機器ユニット２０によれば、バッテリ５０とＥＣＵ７０とを接続する制御系ハーネス１００の第１ハーネス部１０１は、一般的に車両衝突時の衝撃に対する安全性が高い場所である、バッテリ５０とＥＣＵ７０との間の空間部Ｓを鉛直方向に延びるので、デッドスペースを有効に利用しつつ車両衝突時の衝撃から制御系ハーネス１００を保護することができる。さらに、制御系ハーネス１００は、ＥＣＵ７０に下方から接続されるＥＣＵ接続部１０５を備えるので、結露等の水が制御系ハーネス１００を伝わってＥＣＵ７０に入り込むことを防止できる。
【００４３】
また、制御系ハーネス１００は、バッテリ５０の上方を前後方向に延びる第２ハーネス部１０２と、バッテリ５０のＥＣＵ７０とは反対側を鉛直方向に延びる第３ハーネス部１０３と、バッテリ５０に下方から接続されるバッテリ接続部１０６と、を備えるので、結露等の水が制御系ハーネス１００を伝わってバッテリ５０に入り込むことを防止できる。
【００４４】
また、制御系ハーネス１００の第２ハーネス部１０２は、バッテリ５０とインバータ６０との境界部近傍に配置されているので、電力機器ユニット２０内のスペースを有効利用した制御系ハーネス１００の配置が可能になる。
【００４５】
また、電力機器ユニット２０は、フロアパネル４に形成された凹状の電力機器ユニット収納部４ａに収容され、電力機器ユニット収納部４ａは、フロントシート５の下方に設けられているので、車両衝突時の衝撃に対する安全性の高い場所に電力機器ユニット２０を配置し、バッテリ５０、ＥＣＵ７０及び制御系ハーネス１００を車両衝突時の衝撃から保護することができる。
【００４６】
なお、本発明は、前述した実施形態に限定されるものではなく、適宜、変形、改良、等が可能である。
例えば、上記実施形態では、フロントシート５の下方に電力機器ユニット２０を配置したが、フロントシート５の下方に限らず、ミドルシート６の下方若しくはリアシート７の下方であってもよい。
また、車両１としてハイブリッド車両を例示したが、これに限らず電気車両、燃料電池車両等であってもよい。
【符号の説明】
【００４７】
１  車両
３ｂ  モータジェネレータ（モータ）
４  フロアパネル
４ａ  電力機器ユニット収納部
５  フロントシート（座席）
２０  電力機器ユニット
５０  バッテリ（電力機器）
６０  インバータ（電力変換器）
７０  ＥＣＵ（制御装置）
１００  制御系ハーネス（ハーネス）
１０１  第１ハーネス部
１０２  第２ハーネス部
１０３  第３ハーネス部
１０５  ＥＣＵ接続部（制御装置接続部）
１０６  バッテリ接続部（電力機器接続部）
Ｓ  空間部
【図１】
2018043584.tif 000003
【図２】
2018043584.tif 000004
【図３】
2018043584.tif 000005
【図４】
2018043584.tif 000006
【図５】
2018043584.tif 000007
【図６】
2018043584.tif 000008
【図７】
2018043584.tif 000009
【図８】
2018043584.tif 000010
【図９】
2018043584.tif 000011
【図１０】
2018043584.tif 000012